(57)【要約】【課題】  電気機器の筐体に取付けられる操作スイッチであって、ネジを用いることなく取付け出来、しかもガタ付くことなく安定した取付が出来る操作ボタンの提供。【解決手段】  基部２８から起立する支持部２９ａ，２９ｂ・・の上端にはボタン２４ａ，２４ｂ・・を正面側に突出して設けると共に基部２８との境界には肉厚を薄くしたヒンジ３０ａ，３０ｂ・・を形成している。そして基部２８の少なくとも両側には取付けリブ３２，３２・・を設け、取付けリブ３２の先端には概略Ｌ型のフック３３を形成すると共に背面側からスリット溝３４を切り込んでいる。又基部２８の後方へは先端にストッパー３６，３６を形成したアーム３５，３５を延ばし、更に支持部上端には後方へ延びるスイッチ押圧用アーム３１ａ，３１ｂ・・を設けている。【選択図】    図４
2005191029.tif 000002
【特許請求の範囲】
【請求項１】
電気機器の筐体に取付けられる操作スイッチにおいて、基部から起立する支持部の上端にはボタンを正面側に突出して設けると共に基部との境界には肉厚を薄くしたヒンジを形成し、そして基部の少なくとも両側には取付けリブを設け、取付けリブの先端には概略Ｌ型のフックを形成すると共に背面側からスリット溝を切り込み、又基部の後方へは先端にストッパーを形成したアームを延ばし、更に支持部上端には後方へ延びるスイッチ押圧用アームを設けたことを特徴とする操作ボタン。
【請求項２】
筐体に操作スイッチを取付けた電気機器において、操作スイッチは、基部から起立する支持部の上端にはボタンを正面側に突出して設けると共に基部との境界には肉厚を薄くしたヒンジを形成し、そして基部の少なくとも両側には取付けリブを設け、取付けリブの先端には概略Ｌ型のフックを形成すると共に背面側からスリット溝を切り込み、又基部の後方へは先端にストッパーを形成したアームを延ばし、更に支持部上端には後方へ延びるスイッチ押圧用アームを設けて構成し、筐体のフロント面に貫通して設けたボタン穴には上記ボタンを嵌め、筐体の底面には係止穴を設け、上記取付けリブ先端に形成したフックを一方の係止穴に嵌合して係止し、他方の係止穴にはストッパーを嵌めて係止したことを特徴とする操作ボタンを備えた電気機器。
【発明の詳細な説明】
【技術分野】
【０００１】
本発明は止めネジを用いることなく簡単に取付され、更に隣接するボタンの連動を防止することが出来る操作ボタン、及び操作ボタンを備えた電気機器に関するものである。
【背景技術】
【０００２】
電気機器のフロントには操作に必要なボタンが備わっていて、該ボタンを押すことで回路基板に設けているスイッチのＯＮ／ＯＦＦが行われる構造となっている場合が多い。そして、回路基板はシャーシに取着され、該回路基板上に設けているスイッチに位置合わせされて操作ボタンが取付けられるが、取付け構造の簡略化が求められる。
【０００３】
図８は最も一般的な従来の操作ボタンの取付け構造を示している。該操作ボタン１はキャビネットのフロントパネル２の裏側に取付けられているが、上記操作ボタン１はその枠体３の四隅がネジ止めされている。フロントパネル２の裏側に突出しているボス４，４…に枠体３が支持された状態でネジ止めが成されている。従って、フロントパネル２との間にはボス４の長さに相当する隙間が形成されることになる。
【０００４】
ところで、操作ボタン１は四角形の上記枠体３の中に２個のボタン部５，５を有し、該ボタン部５，５は枠体３とヒンジ部６，６を介して繋がっている。そして、ボタン部５，５の基板７，７からアーム８，８を後方へ延ばし、アーム先端は回路基板９に設けているスイッチ１０，１０と接触することが出来る。すなわち、ボタン部５，５が正面から押圧されるならば、アーム８，８は下方へ撓み、先端が上記スイッチ１０，１０を押圧する。
【０００５】
図９(ａ)は操作ボタン１がフロントパネル２に取付けられている内側からの正面図であり、(ｂ)は(ａ)のＡ−Ａ断面図、(ｃ)は(ａ)のＢ−Ｂ断面図をそれぞれ示している。各断面図から明らかなように、フロントパネル２から背後へ延びたボス４，４…に枠体３がネジ止めされ、ボタン部５の基板７から正面側に突出して形成されているボタン１１はフロントパネル２に形成された穴１２に嵌っている。従って、ボタン１１を正面から押圧すれば、枠体３に繋がっているヒンジ部６が曲げ変形してアーム先端がスイッチ１０に接触する。
【０００６】
ところで、操作ボタン１はフロントパネル２の裏側にネジ止めされて外れることはないが、該ネジ止め作業が面倒である。図１０は操作ボタン１と回路基板９を取付ける場合を示しているが、フロントパネル２に操作ボタン１をネジ止めし、その後、回路基板９が取付けられる。同図に示している操作ボタン１をネジ止めするには４本のネジが使用され、さらに多くのボタン１１，１１…を備えている操作ボタン１であるならば、より多くのネジが必要となる。
【０００７】
そして、テレビジョン受像機等の電気機器では、操作ボタンはフロントの比較的下側であって、底板との間の空間が少なくてフロントパネルの背後に設けたボス４，４…のネジ穴にネジを螺合する作業は容易でなく、作業工数は必然的に高くなる。
【０００８】
特開２０００−２９９５６７号に係る「押しボタン連の取付構造」は、テレビジョン受像機等の電気機器に使用される押しボタン装置をビスを使用せずに筐体に固定した取付構造と成っている。すなわち、筐体の内面側に突設した位置決めピンとガイドリブに、複数の押しボタンを連結してなる押しボタン連の連結部に設けた貫通孔と第１のリブの端部とを夫々挿嵌し、さらにボタン連の連結部に設けた第１と第２のリブのスリットにプリント板の端部を挿嵌することにより、ボタン連に設けたスイッチ押圧部とプリント板上に配置した複数のスイッチとを夫々対応させて固定している。
【０００９】
このように、ネジを用いることなく押しボタン連を筐体に固定できる為に、部品点数の削減に伴うコストダウン、ネジ止めや融着工程の削減に伴う作業時間の短縮が可能と成る。又押しボタン連のスイッチ押圧部と、基板上に取付けたスイッチとの位置ズレを無くし、スイッチ押圧部とスイッチとのクリアランスが一定に保持できる。
【００１０】
しかし、筐体及び基板にてボタンを挟み込む構造と成っている為に、筐体とボタン、或いはボタンと基板との間で隙間が生じた際にボタンのガタ付きが発生する。又筐体及び基板にてボタンを挟み込む構造と成っている為に、基板を取付けるまではボタンが不安定な状態であり、組立て作業工程中にボタンが外れる虞があり作業性が低下する。一方、筐体に対してボタンが浮いた状態で取付けられるために、隣接するボタンとの連動が発生して品質を低下させ、誤動作を起こす。筐体の底面にリブを形成し、又ボタン形状も複雑と成ってしまう為に、金型の製作コストが高くなるなどの問題がある。
【特許文献１】特開２０００−２９９５６７号に係る「押しボタン連の取付構造」
【特許文献２】特開２０００−１６５０６４号に係る「キー押圧装置の取り付け構造」
【特許文献３】特開２００１−５３４７２号に係る「電子機器の操作装置」
【発明の開示】
【発明が解決しようとする課題】
【００１１】
このように従来の操作ボタン取付け構造には上記のごとき問題がある。本発明が解決しようとする課題はこれら問題点であり、止めネジを用いなくてもガタ付くことなく安定して取付けられ、隣接する操作ボタンとの連動を防止することが出来るようにした操作ボタン及び操作ボタンを備えた電気機器を提供する。
【課題を解決するための手段】
【００１２】
本発明では、筐体のフロント部には操作ボタン取付け位置にボタン穴を形成し、底面にはボタンの位置決めを成す複数の係止穴を設けている。操作ボタンには、操作をするボタン部とボタン部から下方へ延びる支持部、更にボタン部の後方に延びて基板に取付けたスイッチを押す為のリブが形成されている。そしてボタン部の下側には基部が形成され、この基部とボタン部の支持部とがヒンジによって連結されている。なお、基部にはボタン部及び支持部が単体で形成される場合と複数形成している場合があり、本発明は限定しない。
【００１３】
基部には、後方へ延びて基板を挟み込むリブを形成し、このリブ先端に下方へ延出する概略L字状のフックを形成している。基部には更に、弾性変形するアームを介して下方に延出したストッパーの突起を設け、操作ボタンのフックを筐体底面の係止穴に通し、前方へスライドさせる。ボタンはボタン穴に嵌り、所定の位置にてアーム先端のストッパーが筐体底面の係止穴に係止して操作ボタンの取付が完了する。
【発明の効果】
【００１４】
本発明に係る電気機器では操作ボタンを取付けるに際してネジを用いることなく、ワンタッチで取付けることが出来、作業性は向上し、しかも取付けられた操作ボタンはガタ付くことなく安定する。すなわち、操作ボタンの基部に設けているフックが筐体底面に形成した位置決め用係止穴に係止すると共に、ストッパーが筐体底面の係止穴に係合し、取付けられた操作ボタンは外れない。
【００１５】
そして、操作ボタンの基部は筐体にガタ付くことなく安定して固定される為に、ボタンを押圧する際に隣接するボタンの連動を防止し、誤動作をなくして安定した操作が保証される。又、基部にはスリット溝を形成した取付け用リブが設けられ、該スリット溝には基板が嵌入することで、基板の位置決めが行われると共に基板に取付けられるスイッチとスイッチ押圧用アーム先端との隙間は一定に保たれ、誤動作を防止出来る。
【実施例】
【００１６】
図１はテレビジョン受信機の外観を示している具体例である。テレビジョン受信機は、正面に画面２１が、画面２１の両側にはスピーカー２２，２２が、画面下側のフロント面２３には４個のボタン２４ａ，２４ｂ・・が設けられている。図２、図３はテレビジョン受信機の筐体のコーナー部を示し、操作ボタンは筐体２５の底面２６に取付けられて、ボタン２４ａ，２４ｂ・・はフロント面２３に貫通して設けているボタン穴２７ａ，２７ｂ・・に嵌っている。
【００１７】
図４は操作ボタンの斜視図を示し、(ａ)は正面側、(ｂ)は背面側を各々表している。同図に示すように、操作ボタンは４個のボタン２４ａ，２４ｂ・・が等間隔で設けられ、これらボタン２４ａ，２４ｂ・・は基部２８から起立する支持部２９ａ，２９ｂ・・の正面側へ突出して形成されている。そして、支持部２９ａ，２９ｂ・・の下端であって基部２８との境界には肉厚を薄くしたヒンジ３０ａ，３０ｂ・・が形成されている。
【００１８】
従って、ボタン２４ａ，２４ｂ・・を正面側から押圧するならば、ヒンジ３０ａ，３０ｂ・・を介して支持部２９ａ，２９ｂ・・は撓み変形することが出来る。そして、支持部２９ａ，２９ｂ・・の後方にはスイッチ押圧用アーム３１ａ，３１ｂ・・が延びていて、支持部２９ａ，２９ｂ・・が撓み変形するならば、上記スイッチ押圧用アーム３１ａ，３１ｂ・・の先端は降下して基板に取付けられているスイッチを押圧する。
【００１９】
そして、上記基部２８の両側及び中央には取付けリブ３２，３２・・が後方へ延び、取付けリブ３２，３２・・の先端にはＬ型をしたフック３３，３３・・を形成している。又、この取付けリブ３２，３２・・には後方から切り込まれているスリット溝３４，３４・・が設けられている。基部２８にはアーム３５，３５を後方へ延ばして、このアーム先端には下方へ突出したストッパー３６，３６を形成している。このように、ボタン２４ａ，２４ｂ・・、支持部２９ａ，２９ｂ・・、取付けリブ３２，３２・・、及びアーム３５，３５を備えた操作ボタンは樹脂を材質として成形され、前記図２、図３に示すように筐体２５の底面２６に取着される。
【００２０】
図５は操作ボタンの平面図、正面図、側面図、及びＡ−Ａ断面図、Ｂ−Ｂ断面図を各々示している。図６はこの操作ボタンを取付ける筐体２５の底面２６及びフロント面２３を示しているが、フロント面２３にはボタン２４ａ，２４ｂ・・が嵌るボタン穴２７ａ，２７ｂ・・が貫通して設けられ、前記図２に示したように操作ボタンを取付けることで各ボタン２４ａ，２４ｂ・・が嵌る。
【００２１】
又底面２６には細長い位置決め用の係止穴３７，３７・・及び長方形の係止穴３８，３８が貫通して設けられて、これら係止穴３７，３７・・及び３８，３８に操作ボタンに設けているフック３３，３３・・及びストッパー３６，３６が係止して取付けられる。図７は操作ボタンの取付け工程を示している。
(ａ)は取付けリブ３２の先端に形成しているフック３３を係止穴３７に嵌める場合を示している。この場合、アーム先端のストッパー３６は係止穴３８と同一場所に位置していない。
(ｂ)はフック３３を係止穴３７に嵌めた場合であるが、ストッパー３６は係止穴３８に嵌ることが出来ない為に、同図のように撓み変形する。
(ｃ)はフック３３が係止穴３７に係止し、ストッパー３６は係止穴３８に係止した状態を示している。
【００２２】
上記(ｂ)の状態から、操作ボタンを矢印方向へ移動するならば、フック３３は係止穴３７に係止すると共に、ストッパー３６は係止穴３８に嵌る。ここで、係止穴３７の幅はフック３３の厚みとほぼ同じ寸法と成っている為に左右方向へのガタ付きはない。そして、フック３３が係止穴３７に係止することで持ち上がったり正面側へ移動することはなく、更にストッパー３６が係止穴３８に係止することで後方へ後退することも阻止される。従って、操作ボタンは所定の位置に固定される。
【００２３】
このように、操作ボタンは所定の位置にネジを用いないで取付けられる。そして、回路基板の正面側は取付けリブ３２，３２・・に形成しているスリット溝３４，３４・・に嵌入して支持され、同時に操作ボタンに対しての位置決めが正確に成される。回路基板に取付けられるスイッチは、スイッチ押圧用アーム先端との間に適度な隙間が形成され、ボタン２４ａ，２４ｂ・・を押圧するならば、支持部２９ａ，２９ｂ・・が撓み変形してスイッチ押圧用アーム３１ａ，３１ｂ・・の先端は降下し、スイッチを正確に押圧することが出来る。
【図面の簡単な説明】
【００２４】
【図１】テレビジョン受信機の斜視図。
【図２】筐体に操作ボタンを取付けた場合の正面側斜視図。
【図３】筐体に操作ボタンを取付けた場合の背面側斜視図。
【図４】操作ボタンを示す具体例で、(ａ)は正面側斜視図、(ｂ)は背面側斜視図。
【図５】操作ボタンの平面図、正面図、側面図、Ａ−Ａ断面図、Ｂ−Ｂ断面図
【図６】操作ボタンが取付けられる筐体の一部。
【図７】筐体に操作ボタンを取付ける工程。
【図８】従来の操作ボタン取付け構造を示す斜視図。
【図９】従来の操作ボタン取付け構造の正面図、及び断面図。
【図１０】従来の操作ボタンの取付け方法。
【符号の説明】
【００２５】
21  画面
22  スピーカー
23  フロント面
24  ボタン
25  筐体
26  底面
27  ボタン穴
28  基部
29  支持部
30  ヒンジ
31  スイッチ押圧用アーム
32  取付けリブ
33  フック
34  スリット溝
35  アーム
36  ストッパー
37  係止穴
38  係止穴
【図１】
2005191029.tif 000003
【図２】
2005191029.tif 000004
【図３】
2005191029.tif 000005
【図４】
2005191029.tif 000006
【図５】
2005191029.tif 000007
【図６】
2005191029.tif 000008
【図７】
2005191029.tif 000009
【図８】
2005191029.tif 000010
【図９】
2005191029.tif 000011
【図１０】
2005191029.tif 000012